(57)【要約】【課題】  滞留ケーブルやその他電気ケーブルに適用して有効な電気ケーブルを提供する。【解決手段】  隣り合う通電用の芯材３間に、当該芯材３に隣接して弾性変形可能なばね材５を配設する。これにより、電気ケーブル１それ自体に弾性を持たせることができるので、本願発明に係る電気ケーブル１を無接点方式の電気ケーブル用巻取装置の滞留ケーブルに適用すれば、滞留ケーブルが収納される部位を小型にしても、巻取ドラムの回転時に滞留ケーブルが座屈するように折れ曲がってしまうことを防止できる。延いては、電気ケーブル用巻取装置の小型化を図ることができる。【選択図】  図１
2013157146.tif 000002
【特許請求の範囲】
【請求項１】
弾性変形可能なばね材、及び通電用の芯材を備えることを特徴とする電気ケーブル。
【請求項２】
前記ばね材及び前記芯材は、被覆に覆われて一体化されていることを特徴とする請求項１に記載の電気ケーブル。
【請求項３】
前記ばね材と前記芯材とは、隣接して配置されていることを特徴とする請求項１又は２に記載の電気ケーブル。
【請求項４】
前記芯材が複数であることを特徴とする請求項１ないし３のいずれか１項に記載の電気ケーブル。
【請求項５】
前記ばね材は、前記芯材間に配置されていることを特徴とする請求項４に記載の電気ケーブル。
【発明の詳細な説明】
【技術分野】
【０００１】
本発明は、電気ケーブルに関するものであり、特に、電気ケーブル用巻取装置の滞留ケーブルに適用して有効である。
【背景技術】
【０００２】
例えば、特許文献１に記載の電気ケーブル用巻取装置では、線状のばね材により滞留ケーブルを外周側に押圧（付勢）している。
【先行技術文献】
【特許文献】
【０００３】
【特許文献１】特開２０１０−１５９１４９号公報
【発明の概要】
【発明が解決しようとする課題】
【０００４】
本発明は、上記点に鑑み、滞留ケーブルやその他電気ケーブルに適用して有効な電気ケーブルを提供することを目的とする。
【課題を解決するための手段】
【０００５】
本発明は、上記目的を達成するために、請求項１に記載の発明では、弾性変形可能なばね材（５）、及び通電用の芯材（３）を備えることを特徴とする。
これにより、請求項１に記載の発明では、電気ケーブル自身に弾性を持たせることができる。したがって、例えば、本願発明を滞留ケーブル等に適用すれば、無接点方式のケーブルリールの小型化を図ることができる。
【０００６】
請求項２に記載の発明では、ばね材（５）及び芯材（３）は、被覆に覆われて一体化されていることを特徴とする。
これにより、請求項２に記載の発明では、ばね材（５）を含め全体を１つのケーブルとして扱うことができるので、使い勝手がよい。
【０００７】
なお、ばね材（５）と芯材（３）とは、請求項３に記載の発明のごとく、隣接して配置されていることが望ましい。
そして、請求項４に記載の発明のごとく、芯材（３）が複数である電気ケーブルに本願発明を適用するとよい。
【０００８】
また、請求項５に記載の発明では、ばね材（５）は、芯材（３）間に配置されていることを特徴とする。
これにより、請求項５に記載の発明では、仮に、複数の芯材（３）が撚られても、ばね材（５）が芯材（３）間に配置されているので、ばね材（５）が芯材（３）の撚りとともに捻られてしまうことを抑制できる。
【０００９】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１０】
【図１】本発明の第１実施形態に係る電気ケーブルの断面図である。
【図２】本発明の第２実施形態に係る電気ケーブルの断面図である。
【図３】本発明の第３実施形態に係る電気ケーブルの断面図である。
【発明を実施するための形態】
【００１１】
以下に説明する「発明の実施形態」は実施形態の一例を示すものである。つまり、特許請求の範囲に記載された発明特定事項等は、下記の実施形態に示された具体的手段や構造等に限定されるものではない。
【００１２】
そして、本実施形態は、電気ケーブル用巻取装置の滞留ケーブルに本発明に係る電気ケーブルを適用したものである。以下、本発明の実施形態を図面と共に説明する。
なお、「滞留ケーブル」とは、スリップリング等の摺動接点を備えていない「無接点方式の電気ケーブル用巻取装置」に用いられる電気ケーブルであって、例えば、特許文献１の図１に示されるように、巻取ドラムに巻き取られる巻取電気ケーブルと電源側とを繋ぐとともに、巻取ドラム内等に収納されて巻取ドラムの回転を吸収するものである。
【００１３】
（第１実施形態）
１．電気ケーブルの構造
本実施形態に係る電気ケーブル１は、図１に示すように、通電用の芯材３を複数（例えば、４本）備える電気ケーブルに適用したものである。なお、各芯材３は、銅等の導電性に優れた材質からなるものであって、電気絶縁被覆３Ａにより覆われている。
【００１４】
そして、隣り合う芯材３間には、当該芯材３に隣接して弾性変形可能なばね材５が配設されている。つまり、本実施形態では、電気ケーブル１の略中央にばね材５が配設された構成となっている。
【００１５】
また、ばね材５及び複数の芯材３は、可撓性を有する樹脂製の被覆７に覆われて一体化されて１本の電気ケーブルとなっている。なお、本実施形態では、ばね材５は、ばね鋼等の金属を採用しているが、その他材料（例えば、樹脂）であってもよい。
【００１６】
２．本実施形態に係る電気ケーブルの特徴
本実施形態では、電気ケーブル１それ自体に弾性を持たせることができるので、滞留ケーブルが収納される部位を小型にしても、巻取ドラムの回転時に滞留ケーブルが座屈するように折れ曲がってしまうことを防止できる。延いては、電気ケーブル用巻取装置の小型化を図ることができる。
【００１７】
また、本実施形態では、ばね材５及び複数の芯材３は、被覆に覆われて一体化されているので、ばね材５を含め全体を１つの電気ケーブルとして扱うことができるので、使い勝手がよい。
【００１８】
さらに、本実施形態では、ばね材５は、芯材３間に配置されているので、仮に、複数の芯材３が撚られても、ばね材５が芯材３の撚りとともに捻られてしまうことを抑制できる。延いては、ばね材５が損傷してしまうことを抑制できる。
【００１９】
（第２実施形態）
本実施形態は、図２に示すように、芯材３を３本とした例である。そして、本実施形態でも、ばね材５は、３本の芯材３に隣接して配設されている。
【００２０】
（第３実施形態）
本実施形態は、図３に示すように、フラットケーブルに本発明に係る電気ケーブルを適用した例である。そして、本実施形態においても、ばね材５は、３本の芯材３に隣接して配設されている。
【００２１】
なお、ばね材５を配設する位置は、図３に示すように、幅方向一端側に限定されるものではなく、例えば、幅方向中央部又は幅方向両端側にばね材５を配置してもよい。
（その他の実施形態）
上述の実施形態では、電気ケーブル用巻取装置の滞留ケーブルに本発明に係る電気ケーブルを適用したが、本発明はこれに限定されるものではなく、例えば、建物等の電線管内に挿通される電気ケーブルにも適用することができる。
【００２２】
すなわち、建物等の電線管内に電気ケーブルを挿通するには、通常、予め電線管に挿通された紐に電気ケーブルを繋いで当該紐を引き出す、又は通線ワイヤー等の可撓性と剛性とを備えたワイヤーを電線管に押し込むように挿通させた後、当該通線ワイヤーの後端に電気ケーブルを繋いで通線ワイヤーを引き出すことにより行われる。
【００２３】
しかし、本願発明に係る電気ケーブルでは、電気ケーブルそれ自体が通線ワイヤーと同等の機能を有しているので、建物等の電線管内に容易に電気ケーブルを挿通することができる。
【００２４】
また、上述の実施形態では、ばね材５の断面形状が丸であったが、本発明はこれに限定されるものではなく、矩形状等のその他形状であってもよい。特に、第３実施形態においては、電気ケーブル１がフラットケーブルにて構成されているので、ばね材５を板ばね状とすると好適である。
【００２５】
また、上述の実施形態では、ばね材５は金属であったので、ばね材５も導通部材として利用してもよい。
また、上述の実施形態では、被覆７とばね材５とが独立して設けられていたが、被覆７をばね材５として機能させてもよい。
【００２６】
また、上述の実施形態では、被覆７は樹脂であったが、本発明はこれに限定されるものではない。
また、上述の実施形態では、被覆７にて芯材３とばね材５とが一体化がされていたが、本発明はこれに限定されるものではなく、例えば、ばね材５を被覆３Ａに貼り付ける、又はばね材５をコイルばね状として、コイル内に芯材３を配置する等としてもよい。
【００２７】
また、上述の実施形態では、ばね材５が１本であったが、本発明はこれに限定されるものではなく、例えば、ばね材５を複数とし、芯材３を１本としてもよい。
また、本発明は、特許請求の範囲に記載された発明の趣旨に合致するものであればよく、上述の実施形態に限定されるものではない。
【符号の説明】
【００２８】
１… 電気ケーブル  ３… 芯材  ３Ａ… 電気絶縁被覆
５… ばね材  ７… 被覆
【図１】
2013157146.tif 000003
【図２】
2013157146.tif 000004
【図３】
2013157146.tif 000005